(57)【要約】      （修正有）【課題】重心のバランスを安定させる寝台装置を提供する。【解決手段】寝台装置１０は、寝台１１と、屈曲部８５を有する医療用具取付棒３８と、寝台１１を支持する支持架台１２と、を備える。寝台１１は、その平面視において左右方向よりも前後方向に長い。支持架台１２には、前後方向に突出する脚部が設けられている。脚部は、前側に向けて延びるとともに前方に向かうに従って左右方向に互いに離間する左右一対の前脚部４５ａと、後側に向けて延びるとともに後方に向かうに従って左右方向に互いに離間する左右一対の後脚部と、を備える。各脚部４５の末端の少なくとも１か所に医療用具取付棒３８を差し込み可能となっている。【選択図】図１
2020168403.tif 000002
【特許請求の範囲】
【請求項１】
寝台と、
屈曲部を有する医療用具取付棒と、
前記寝台を支持する支持架台と、
を備え、
前記寝台が、その平面視において左右方向よりも前後方向に長く、
前記支持架台に、前後方向に突出する脚部が設けられ、
前記脚部が、前側に向けて延びるとともに前方に向かうに従って左右方向に互いに離間する左右一対の前脚部と、後側に向けて延びるとともに後方に向かうに従って左右方向に互いに離間する左右一対の後脚部と、を備え、
前記各脚部の末端の少なくとも１か所に前記医療用具取付棒を差し込み可能となっている  
ことを特徴とする寝台装置。
【請求項２】
前記医療用具取付棒は医療用具が取付けられる係止部を上部に有し、
前記支持架台は前記医療用具取付棒の下端部を支持する棒支持部を有し、
前記医療用具取付棒に前記屈曲部が形成されることにより前記係止部が前記下端部の軸心に対して偏心して配置されて、
前記係止部が前記下端部の軸心に対して前後方向に偏心した状態で、前記医療用具取付棒が前記棒支持部に支持され、
前記下端部が前記棒支持部にその軸心方向に内嵌めまたは外嵌めされ、
前記棒支持部と前記医療用具取付棒とのうち、外嵌めする方を第１嵌合部とし、内嵌めする方を第２嵌合部とした場合に、
前記第１嵌合部の内周面及び前記第２嵌合部の外周面のいずれか一方に規制部が設けられる一方、他方に、前記規制部を避けた回避部が形成されている
ことを特徴とする請求項１に記載の寝台装置。
【請求項３】
前記棒支持部が前記第１嵌合部であり、前記下端部が前記第２嵌合部であり、
前記棒支持部は、前記下端部が挿入可能な開口部を備え、
前記規制部は、前記開口部の少なくとも上端縁に前記開口部の内側に向かって突出して形成され、
前記回避部は、前記下端部の下端を含む側面の周方向の一部に、前記軸心からの距離が他の部分よりも短くなるように形成され、
平面視において、前記開口部の前記規制部と、前記下端部の前記回避部とが対向する位置に配置されたときに前記下端部が前記開口部に挿入されて前記下端部が前記棒支持部に嵌合可能に構成される
ことを特徴とする請求項２に記載の寝台装置。
【請求項４】
前記下端部が前記第１嵌合部であり、前記棒支持部が前記第２嵌合部であり、
前記医療用具取付棒の下端面に上方に向かって凹む穴部が形成され、
前記規制部は、前記穴部の少なくとも下端縁に前記軸心に向かって突出して形成され、
前記回避部は、前記棒支持部の上端を含む側面の周方向の一部に、前記棒支持部の軸心からの距離が他の部分よりも短くなるように形成され、
平断面視において、前記穴部の前記規制部と、前記棒支持部の前記回避部とが対向する位置に配置されたときに前記棒支持部が前記穴部に挿入されて前記下端部が前記棒支持部に嵌合可能に構成される
ことを特徴とする請求項２に記載の寝台装置。
【請求項５】
前記支持架台は、前記寝台を昇降自在に支持し、
前記医療用具取付棒は、前記寝台が最も低い位置で支持されたときに、前記寝台の下方で、前記寝台との干渉を避けるように前記屈曲部が形成される
ことを特徴とする請求項２から請求項４のいずれか一項に記載の寝台装置。
【請求項６】
前記規制部は凸部であり、
前記回避部は切り欠き部である
ことを特徴とする請求項２から請求項５のいずれか一項に記載の寝台装置。
【発明の詳細な説明】
【技術分野】
【０００１】
本発明は、寝台装置に関する。
【背景技術】
【０００２】
従来、例えば下記特許文献１に示すような寝台装置が知られている。この寝台装置は、寝台と、寝台を昇降自在に支持する支柱構造と、キャスター付きの台車とを備えている。
【先行技術文献】
【特許文献】
【０００３】
【特許文献１】特開２０１４−１０４１００号公報
【発明の概要】
【発明が解決しようとする課題】
【０００４】
上記従来の寝台装置は、キャスター付きの台車により移動可能に構成されている。特に新生児用の寝台装置の場合、新生児を寝台に寝かせた状態を保ちながら移動するために、寝台装置ごと移動させる場合がある。また、上記従来の寝台装置を、新生児集中治療室（ＮＩＣＵ：Ｎｅｏｎａｔａｌ  Ｉｎｔｅｎｓｉｖｅ  Ｃａｒｅ  Ｕｎｉｔ）や継続保育室（ＧＣＵ：Ｇｒｏｗｉｎｇ  Ｃａｒｅ  Ｕｎｉｔ）等で使用する場合、点滴装置等の器具を寝台の近傍に配置して使用する場合がある。
【０００５】
この場合、寝台装置を移動させる際に、点滴装置が支持される点滴台も同時に移動させる必要がある。このとき、新生児に取り付けられた点滴針が外れることを防ぐために、寝台装置と点滴台との距離を所定範囲内に保つ必要がある。この他、寝台装置を少し移動させる際に、寝台装置が点滴台に当たって点滴台が転倒することを避けるために細心の注意を要する。
【０００６】
そのため、寝台装置に点滴台を連結することが考えられる。しかし、特許文献１のような従来の寝台装置は、小型であり且つ寝台の昇降機能を備えるため、寝台装置の重心が変動する場合がある。このような寝台装置に点滴台を設置する場合、寝台装置全体の重心のバランスを考慮する必要がある。
【０００７】
本発明は、前述した事情に鑑みてなされたものであって、寝台装置の重心のバランスを安定させることを目的とする。
【課題を解決するための手段】
【０００８】
前記課題を解決するために、本発明は以下の手段を提案している。
（１）本発明に係る寝台装置は、寝台と、医療用具が取付けられる係止部を上部に有する医療用具取付棒と、前記医療用具取付棒の下端部を支持する棒支持部を有するとともに、前記寝台を支持する支持架台と、を備え、前記寝台が、その平面視において左右方向よりも前後方向に長く、前記医療用具取付棒に屈曲部が形成されることにより前記係止部が前記下端部の軸心に対して偏心して配置されて、前記係止部が前記下端部の軸心に対して前後方向に偏心した状態で、前記医療用具取付棒が前記棒支持部に支持されていることを特徴とする。
【０００９】
この場合、医療用具取付棒において係止部が下端部の軸心に対して前後方向に偏心した状態で、医療用具取付棒が棒支持部に支持されている。したがって、屈曲部を有する医療用具取付棒を取り付けた場合でも寝台装置の重心のバランスを安定させることができる。さらに、係止部が左右方向に偏心している場合に比べて、寝台装置の重心のバランスを安定させることができる。
【００１０】
（２）上記（１）に記載の寝台装置において、前記下端部が前記棒支持部にその軸心方向に内嵌めまたは外嵌めされ、前記棒支持部と前記医療用具取付棒とのうち、外嵌めする方を第１嵌合部とし、内嵌めする方を第２嵌合部とした場合に、前記第１嵌合部の内周面の周方向の一カ所及び前記第二嵌合部の外周面の周方向の一カ所のいずれか一方に凸部が設けられる一方、他方の一カ所に、前記凸部を避けた切り欠き部が形成されていてもよい。
【００１１】
この場合、第１嵌合部と第２嵌合部とが、切り欠き部が凸部を避けた状態で嵌合することが可能となり、医療用具取付棒を取り付ける際の周方向の位置が規制され、医療用取付棒を支持架台に対して最適な位置でのみ取付けることができる。したがって、この寝台装置のように、支持架台に支持される医療用取付棒が屈曲して軸心が偏心したものである場合でも、支持架台に対する屈曲部の向きが、寝台装置の重心のバランスを安定させることができる所定の向きとなる状態でのみ、医療用取付棒が支持されるような構成を実現することができる。
【００１２】
（３）上記（２）に記載の寝台装置において、前記棒支持部が前記第１嵌合部であり、前記下端部が前記第２嵌合部であり、前記棒支持部は、前記下端部が挿入可能な開口部を備え、前記凸部は、前記開口部の少なくとも上端縁に前記開口部の内側に向かって突出して形成され、前記切り欠き部は、前記下端部の下端を含む側面の前記周方向の一部に、前記軸心からの距離が他の部分よりも短くなるように形成され、平面視において、前記開口部の前記凸部と、前記下端部の前記切り欠き部とが対向する位置に配置されたときに前記下端部が前記開口部に挿入されて前記下端部が前記棒支持部に嵌合可能に構成されていてもよい。
【００１３】
この場合、開口部に形成された凸部と、医療用取付棒の下端部に形成された切り欠き部とが対向する位置に配置されたときに第１嵌合部と第２嵌合部とが嵌合する。これにより、支持架台に対して医療用取付棒を取り付ける向きが規制され、所定の位置でのみ取付けることができる。
【００１４】
（４）上記（２）に記載の寝台装置において、前記下端部が前記第１嵌合部であり、前記棒支持部が前記第２嵌合部であり、前記医療用具取付棒の下端面に上方に向かって凹む穴部が形成され、前記凸部は、前記穴部の少なくとも下端縁に前記軸心に向かって突出して形成され、前記切り欠き部は、前記棒支持部の上端を含む側面の周方向の一部に、前記棒支持部の軸心からの距離が他の部分よりも短くなるように形成され、平断面視において、前記穴部の前記凸部と、前記棒支持部の前記切り欠き部とが対向する位置に配置されたときに前記棒支持部が前記穴部に挿入されて前記下端部が前記棒支持部に嵌合可能に構成されていてもよい。
【００１５】
この場合、医療用取付棒の下端部が支持架台に外嵌めされる構成であっても、凸部と切り欠き部とが対向する位置に配置されたときに嵌合可能である。これにより、支持架台に対して医療用取付棒を取り付ける向きが規制され、所定の位置でのみ取付けることができる。
【００１６】
（５）上記（１）から（４）のいずれかひとつに記載の寝台装置において、前記支持架台には、その平面視において左右方向よりも前後方向に長い一対の脚部を備え、前記脚部の前後方向の端部に前記棒支持部が設けられ、前記医療用取付棒が前記支持架台に取り付けられた状態において、前記下端部に対して、前記係止部が前記前後方向に沿って外側に偏心した状態となるように、前記医療用具取付棒が前記支持架台に支持されていてもよい。
【００１７】
この場合、係止部が前後方向に沿って外側に偏心した状態で医療用具取付棒が支持架台に支持されるように医療用取付棒を取り付ける向きが規制されるので、寝台装置の重心のバランスを安定させることができる。
【００１８】
（６）上記（１）から（５）のいずれかひとつに記載の寝台装置において、前記支持架台は、前記寝台を昇降自在に支持し、前記医療用取付棒は、前記寝台が最も低い位置で支持されたときに、前記寝台の下方で、前記寝台との干渉を避けるように前記屈曲部が形成されていてもよい。
【００１９】
この場合、医療用取付棒が寝台の下方で屈曲されているので、寝台の昇降動作と医療用取付棒との干渉を防ぐことができ、且つ、そのような医療用取付棒が設けられても寝台装置の重心のバランスを安定させることができる。
【発明の効果】
【００２０】
本発明によれば、寝台装置の重心のバランスを安定させることができる。
【図面の簡単な説明】
【００２１】
【図１】本発明の第１実施形態に係る寝台装置の斜視図である。
【図２】図１に示す寝台装置の側面図である。
【図３】図１に示す寝台装置を構成する支持架台の要部の平面図である。
【図４】図１に示す寝台装置を構成する寝台であって、収容かごを離脱させた状態を示す平面図である。
【図５】図１に示す寝台装置の上面図である。
【図６】図１に示す寝台装置の点滴棒を支持架台に挿入する状態を示す斜視図である。
【図７】図１に示す寝台装置の取付け部を示す斜視図である。
【図８】図１に示す寝台装置の点滴棒を示す斜視図である。
【図９】図２のＡ−Ａ線における断面図である。
【図１０】図１に示す寝台装置の点滴棒の下端部が適切でない向きに位置する状態を示す図である。
【図１１】図１に示す寝台装置の側面図であって、寝台を揺動軸回りに揺動させた状態を示す図である。
【図１２】第２実施形態に係る寝台装置を示す分解斜視図である。
【図１３】図１及び図１２の寝台装置の変形例を示す断面図である。
【発明を実施するための形態】
【００２２】
［第１実施形態］
本発明の第１実施形態に係る寝台装置１０を、図面に基づいて以下に説明する。図１から図１１において、矢印Ｈは人体（新生児、乳児、児）を乗せる際に頭側となる向きを示し、また矢印Ｆは人体を乗せる際に脚側となる向きを示している。以下の説明においては、矢印Ｈ側を後方、矢印Ｈ側を前方、矢印Ｈ、Ｆの方向（前後方向）に対して直交する水平方向を左右と言う場合が有る。
【００２３】
図１及び図２に示すように、寝台装置１０は、寝台１１と、寝台１１を昇降自在に支持する支持架台１２と、寝台１１よりも下方に配置された機器載置部１３と、寝台１１の下方に配置されたガイド部１４と、支持架台１２に支持される点滴棒（医療用具取付棒）３８とを備えている。この寝台装置１０は、例えば、ＧＣＵやＮＩＣＵ等の医療環境下において利用する新生児用ベッドとして採用することができる。
【００２４】
寝台１１は、その平面視において左右方向よりも前後方向に長い。寝台１１は、収容かご１５と、かご受け１６と、を備えている。寝台１１には、人体が収容される収容空間１７が設けられていて、本実施形態では、収容空間１７は、収容かご１５の内部によって形成されている。
【００２５】
収容かご１５は、平面視において矩形状に形成される。収容かご１５は、平坦状に形成された床面部１８と、床面部１８の外周縁に全周にわたって立設された周壁部１９と、を備えている。
床面部１８上には、必要に応じてマットレス（不図示）が配置される。周壁部１９のうち、後側に位置し平面視Ｕ字形状をなす後壁２０は、前側に位置し平面視Ｕ字形状をなす前壁２１よりも高い。周壁部１９の上端部のうち、後壁２０の上端部と前壁２１の上端部とを接続する部分は、上方から下方に向けて傾斜している。
【００２６】
かご受け１６には、収容かご１５が着脱自在に装着され、かご受け１６は、収容かご１５を下方から支持する。図４に示すように、かご受け１６は、フレーム部２２と、グリップ部２３と、を備えている。
フレーム部２２は、収容かご１５の下方に配置される。フレーム部２２は、平面視において環状をなし、前後方向に長い矩形状に形成されている。
【００２７】
グリップ部２３は、前後方向に間隔をあけて一対配置され、各グリップ部２３は、フレーム部２２の前後両端部上に各別に固定されている。グリップ部２３は、フレーム部２２の前端部または後端部上に配置される底壁部２４と、底壁部２４の外周縁から立設される側壁部２５と、を備えている。
【００２８】
底壁部２４の下面には、フレーム部２２の前端部または後端部が嵌合される嵌合溝（不図示）が形成されている。図１及び図４に示すように、側壁部２５は、収容かご１５の前壁２１または後壁２０を外側から覆うように、底壁部２４の外周縁に立設されている。一対のグリップ部２３間には、収容かご１５が着脱自在に装着される装着空間２７が形成されている。
【００２９】
図１から図３に示すように、支持架台１２は、脚フレーム材２８と、キャスター２９と、支柱部３０（昇降台）と、受け部３１と、揺動支持機構３２と、を備えている。
脚フレーム材２８は、前後方向に延び、左右一対設けられている。脚フレーム材２８は、全長にわたって上下方向に同等の位置を維持している。
【００３０】
図３に示すように、脚フレーム材２８における前後方向の中央部には、前後方向に沿って延びる直線部３３が設けられている。直線部３３は、水平方向に沿って直線的に延在している。脚フレーム材２８は、この直線部３３と、この直線部３３の両端より平面視して湾曲した湾曲部３４と、この湾曲部３４に連なって直線的に延在する脚先端部３５と、この脚先端部３５の末端に溶接固定された取付け部３６と、を備えている。
【００３１】
左右一対の脚フレーム材２８は、左右方向に間隔をあけて配置されるとともに、左右方向に線対称に形成されている。これら一対の脚フレーム材２８を平面視した場合、直線部３３は互いに平行をなし、湾曲部３４は互いに離間する方向に曲がっており、脚先端部３５はさらに互いに離間する方向に延在している。
【００３２】
各脚フレーム材２８は、一方の脚先端部３５から湾曲部３４及び直線部３３及び他の湾曲部３４を経て他方の脚先端部３５に至るまで、それぞれ一本の長尺部材を水平方向の２箇所で曲げ加工して得られた一体品を主要構成要素としており、この一体品の両端に前記取付け部３６が溶接固定されている。
【００３３】
図１に示すように、各取付け部３６の上端には、その開口部７２を覆うゴム栓３７が嵌め込まれている。このゴム栓３７を外した場合には、開口部７２に点滴棒３８を差し込み、取付け部３６の開口部７２を棒支持部として用いることが可能となっている。取付け部３６の外周にはゴム製の略円筒形状の外カバー７１が外嵌されている。取付け部３６の外周面には突起（不図示）が形成されており、外カバー７１の内周面には穴（不図示）が形成されている。取付け部３６の突起と外カバー７１の穴とが嵌合することにより、外カバー７１と取付け部３６とが固定されている。
【００３４】
図７に示すように、開口部７２の上端部の周方向の一カ所に、内方に突出するように湾曲する凸部７３が形成されている。凸部７３の鉛直方向の下部には内ネジ孔７２１が形成されている。内ネジ孔７２１の位置は、外カバー７１に形成された外ネジ孔７１１と中心軸が同軸となるように設けられている。
図３に示すように、凸部７３は、脚フレーム材２８の前後方向Ｈ、Ｆの最端部に形成されている。開口部７２は、点滴棒３８が差し込まれた時に、点滴棒３８の軸心が鉛直方向となるように立設された状態で支持可能な深さを有する。
【００３５】
キャスター２９は、各取付け部３６のそれぞれに対して鉛直軸線回りに回転自在に取付けられた回転軸（不図示）と、この回転軸に対して取付けられた車輪３９と、この車輪３９の回転を許可又はロックするストッパ４０とを備えている。
【００３６】
支柱部３０は、前記一対の直線部３３間に挟まれてかつ鉛直方向に延在するように溶接固定された角パイプ形状の台座部４１と、この台座部４１内に同軸かつ鉛直方向に昇降自在に挿入された昇降部４２と、これら台座部４１及び昇降部４２間に設けられたガススプリング（不図示）と、昇降部４２の昇降動作を許可及び禁止する昇降レバー４３と、台座部４１及び前記一対の直線部３３間の溶接箇所を覆うゴムカバー４４と、を備えている。
【００３７】
台座部４１は、その下端が前記一対の直線部３３の各下縁よりも下方に突出するように固定されている。このようにして台座部４１の高さ位置を下げることにより、重心位置を下げて安定性をより高めることが可能となる。昇降部４２は、台座部４１よりも細い角パイプ形状をなしている。前記ガススプリングは、台座部４１に対して昇降部４２を鉛直上方向に向かって相対的に付勢している。昇降レバー４３は、昇降部４２を間にして左右両方に設けられており、寝台１１の左右どちらからでも操作可能となっている。
【００３８】
支柱部３０において、作業者が昇降レバー４３を操作していない状態では、昇降部４２の昇降動作がロックされている。一方、作業者が昇降レバー４３を操作してロックを解除した場合には、前記ガススプリングによる付勢力を受けて昇降部４２が鉛直上方に向かって緩やかに上昇する。また、作業者が昇降レバー４３を操作してロックを解除した状態で寝台１１を鉛直下方に向かって押し込んだ場合には、昇降部４２が鉛直下方に向かって緩やかに下降する。
このように、作業者が昇降レバー４３を操作してロックを解除した状態で寝台１１を上下動させ、寝台１１が適切な高さ位置に至った時点で作業者が昇降レバー４３を操作してロックをかけることにより、寝台１１を所望の高さ位置に設定することができる。
【００３９】
ところで図３に示すように、支持架台１２には、前後方向に突出する脚部４５が設けられている。脚部４５は、前側に向けて延びる左右一対の前脚部４５ａと、後側に向けて延びる左右一対の後脚部４５ｂと、を備えている。左側の前脚部４５ａと左側の後脚部４５ｂとは、左側の脚フレーム材２８により形成され、右側の前脚部４５ａと右側の後脚部４５ｂとは、右側の脚フレーム材２８により形成されている。前脚部４５ａは、脚フレーム材２８のうち、支柱部３０（ゴムカバー４４）から前方に突出する部分により形成され、後脚部４５ｂは、脚フレーム材２８のうち、支柱部３０（ゴムカバー４４）から後方に突出する部分により形成されている。
【００４０】
左右一対の前脚部４５ａ同士は、前方に向かうに従って左右方向に互いに離間して、前脚部４５ａ同士の間には、前方スペースＳ１（前後スペース）が設けられている。左右一対の後脚部４５ｂ同士は、後方に向かうに従って左右方向に互いに離間して、後脚部４５ｂ同士の間には、後方スペースＳ２（前後スペース）が設けられている。左側の前脚部４５ａと左側の後脚部４５ｂとの間、及び右側の前脚部４５ａと右側の後脚部４５ｂとの間には、左右一対の側方スペースＳ３が設けられている。
【００４１】
各脚部４５の基端部は、脚フレーム材２８の直線部３３により形成されていて、前後方向に沿って直線状に延びている。また各脚部４５の先端部は、脚フレーム材２８の湾曲部３４及び脚先端部３５により形成され、平面視した場合に、前後方向の外側に向けて凸となるように湾曲している。
【００４２】
図８に、点滴棒３８が取付け部３６に挿入された状態を示す斜視図であり、点滴棒３８の下端部の拡大斜視図を併せて示す。図８に示すように、点滴棒３８は長尺な棒状の部材であり、点滴棒本体８０の上部に複数の係止部８１が設けられ、下端部８２に支持架台１２との接続部８３が設けられている。係止部８１は、一端部が点滴棒本体８０に対して回動可能に支持され、他端部に湾曲したフック部８４を有する。係止部８１は、使用時は軸心Ｏ１に対して垂直に延びる位置で固定されて、例えば、点滴用の薬剤が充填された点滴バッグ（不図示）等がフック部８４に係止される。係止部８１を使用しないときは、他端部を回動させてフック部８４が点滴棒本体８０の近傍に配置される。
【００４３】
点滴棒本体８０の長手方向中央部よりも下端部８２側には屈曲部８５が形成されている。屈曲部８５は、上側曲げ部８５１及び下側曲げ部８５２の２箇所に曲げ部が形成されている。点滴棒本体８０の上側曲げ部８５１よりも上側の部分８０１と下側曲げ部８５２よりも下側の部分８０２とは軸心Ｏ１，Ｏ２が偏心した状態で、略平行に延びている。
【００４４】
図８に示すように、接続部８３は、円柱の外面の一部が切除されて平面が形成されたような切り欠き部８３１が形成されている。図９に、図２のＡ−Ａ線における断面図を示す。図９に示すように、点滴棒３８の下端部８２の接続部８３は、平面状の切り欠き部８３１と円弧部８３２とを有する。切り欠き部８３１は、屈曲部８５の曲げ方向に位置している。
切り欠き部８３１には、孔８３４が形成されている。
【００４５】
凸部７３の内壁７３１とこれに対向する内壁面７３２との間の離間距離Ｍ１は、点滴棒３８の下端部８２の直径（切り欠き部以外の部分の直径）ｒ１よりも短い。したがって、図１０に示すように、点滴棒３８の切り欠き部８３１が所定の向きと異なる向きとなる状態で、点滴棒３８を開口部７２内に挿入しようとしても、凸部７３に阻害されて挿入できない。
【００４６】
点滴棒３８の周方向の向きが適切な向きに位置合わせられて開口部７２に嵌合されると点滴棒３８は支持架台１２に安定して支持される。さらに、不図示のネジを外ネジ孔７１１、内ネジ孔７２１及び孔８３４に挿入して螺合すると、点滴棒３８がより安定して支持できる。下端部８２が凸部７３に対して位置合わせされた状態で下端部８２が開口部７２に挿入される際、切り欠き部８３１と凸部７３とは接触面積が小さいので、容易に挿入できる。
【００４７】
図１及び図２に示すように、点滴棒３８が取付け部３６の開口部７２（棒支持部）に支持された状態で、点滴棒３８は寝台１１の下方に屈曲部８５が位置する。すなわち、支持架台１２の脚部４５は、寝台１１等を安定して支持可能であり、且つ、作業者の作業導線の妨げとならない寸法で設けられている。このような支持架台１２の脚部４５に点滴棒３８を取り付ける場合に、点滴棒３８が寝台１１の昇降動作に干渉することを防ぐために、屈曲部８５が設けられている。点滴棒３８は、屈曲部８５が設けられることにより、寝台１１が下降端に位置するときにも干渉しないように配置される。そのような点滴棒３８が設けられても寝台装置１０の重心のバランスを安定させることができる。
【００４８】
点滴棒３８の周方向の向きが適切な向きに位置合わせされて開口部７２に嵌合されたとき、点滴棒３８は、屈曲部８５の曲げ方向が所定の位置となるように配置される。具体的には、図２及び図５に示すように、下端部８２よりも係止部８１が前後方向Ｈ、Ｆの外側に偏心した状態で取付け部３６の開口部７２に支持される。このとき、図５に示すように、下端部８２と係止部８１とは前後方向Ｈ、Ｆに沿って配置されている。このように点滴棒３８を配置すると、寝台装置１０の重心となる支持架台１２の台座部４１の中心Ｐ１と、車輪３９の接地点Ｐ２と、係止部８１に負荷される点滴バッグ等の荷重がかかる点Ｐ３との関係において、点滴棒３８を最も安定して支持できる。すなわち、点Ｐ３が接地点Ｐ２に対して前後方向Ｈ、Ｆに位置しているので、重心が中心Ｐ１に対して左右方向にずれ難くなる。また、点滴棒３８は、取付け部３６に支持された後は、嵌合状態が保たれて周方向に回転することが無く、寝台装置１０を安定した状態に保つことができる。
【００４９】
点滴棒３８は、係止部８１が前後方向に沿って外側に偏心した状態で支持架台１２に挿入されて支持されると、寝台装置１０の重心が最も安定する。そのため、支持架台１２側の凸部７３の位置と、点滴棒３８側の切り欠き部８３１の位置とを、点滴棒３８の係止部８１の位置に応じて設定し、点滴棒３８の向きが支持架台１２に対して最適位置となった場合のみ、下端部８２が開口部７２に挿入され、嵌合するように構成されている。図５に示すように、支持架台１２の開口部７２は、ゴム栓３７を外した場合に、作業者が上から視認可能である。点滴棒３８を挿入する際、作業者は、開口部７２を目視で確認し、点滴棒３８の下端部８２を開口部７２に近付ける。このとき、作業者は点滴棒３８の周方向の向きを位置合わせするが、上記最適位置となるまでは点滴棒３８の下端部８２は開口部７２に挿入されない。したがって、点滴棒３８が誤った方向に挿入されることを防ぐことができる。
【００５０】
図１に示すように、左右一対の前脚部４５ａ同士の間には、架設部材４６が設けられている。架設部材４６は、平面視において、辺部が前後方向及び左右方向に延びる矩形状に形成されている。架設部材４６は、前脚部４５ａの上面に固定されている。架設部材４６は、ケース４７と、引き出し４８と、を備えるキャビネットとされている。引き出し４８は、ケース４７から前側に向けて引き出される。なお図３及び図１１では、架設部材４６の図示を省略している。
【００５１】
図１、図２及び図４に示すように、受け部３１は、平置きの状態の寝台１１を下方から支持する。受け部３１は、昇降部４２の上端部に溶接固定されている。受け部３１は、平面視において左右方向に長い矩形状に形成されている。
揺動支持機構３２は、寝台１１を左右方向に延びる揺動軸Ｏ３（図２参照）回りに揺動自在に支持する。揺動支持機構３２は、寝台１１を平置きの状態から揺動させる場合は、寝台１１を、揺動軸Ｏ３に対して前側の部分が下降し後側の部分が上昇するように揺動支持している。なお、寝台１１を傾斜状態から平置き状態に戻す場合には、受け部３１が寝台１１に当接して動作を止めるので、後側に向けた過度な揺動が禁止されている。
【００５２】
揺動支持機構３２は、受け部３１に対して寝台１１を揺動（傾動）自在に連結する揺動軸受け４９（傾動軸受け）と、揺動軸受け４９を中心として寝台１１が揺動する際に前記揺動に追従して伸縮するダンパー５０と、ダンパー５０の伸縮を許可及び規制する揺動操作部５１と、を備えている。
【００５３】
揺動軸受け４９は、受け部３１から前方に向けて突出する金具（金属板）である。揺動軸受け４９は、左右一対設けられていて、寝台１１のフレーム部２２にそれぞれ軸体を介して固定されている。左右一対の揺動軸受け４９に挿通された両軸体は、互いに共通軸上に配置されていて、この共通軸が揺動軸Ｏ３となっている。
ダンパー５０としては、例えばガススプリングを備える構成などを採用することができる。ダンパー５０の一端は受け部３１に対して回動自在に連結され、ダンパー５０の他端は寝台１１に対して回動自在に連結されている。
【００５４】
ダンパー５０は、前後方向に直線状に延びていて、側面視において前後方向及び上下方向の両方向に傾斜している。ダンパー５０は、後側から前側に向かうに従い漸次、上方に向けて延びている。ダンパー５０の後端部（下端部）は、受け部３１から下方に突出する第１支持金具５３に、左右方向に延びる第１回動軸（不図示）回りに回動自在に固定されている。ダンパー５０の前端部（上端部）は、寝台１１から下方に突出する第２支持金具５４に、左右方向に延びる第２回動軸（不図示）回りに回動自在に固定されている。
【００５５】
揺動操作部５１は、ダンパー５０に一体に設けられている。揺動操作部５１は、ダンパー５０の前端部に回動自在に設けられた金属製のレバー５５と、このレバー５５の先端に固定された樹脂製の手掛け部５６とを備えている。レバー５５は、ダンパー５０の上端部より前方側に向かって延在しているため、手掛け部５６が寝台１１真下の前端寄りに配置される。よって、手掛け部５６へのアクセスが容易となるので、作業者が揺動操作部５１を容易に操作することが可能となる。
【００５６】
機器載置部１３は、上方を向く載置面５７を有する。機器載置部１３は、表裏面が上下方向を向く平板状に形成され、支柱部３０よりも前側に配置されている。機器載置部１３は、平面視において辺部が前後方向及び左右方向の両方向に延びている。載置面５７は、機器載置部１３の上面により形成されている。
機器載置部１３は、受け部３１に、連結部材５８を介して連結されていて、寝台１１に間接的に連結されている。機器載置部１３は、連結部材５８に、前後方向にスライド移動自在に連結されている。
【００５７】
載置面５７上には、医療機器６４（機器）が配置されている。医療機器６４としては、児の生体情報を読み取るサチュレーションモニター等がある。
図２に示すように、医療機器６４には、配管及び配線のうちの少なくとも一方である被ガイド体６５が接続されている。配管は、気体や液体などの流体を移送し、配線は、電力や電気信号などを伝達する。被ガイド体６５としては、例えば電源線、信号線、ＬＡＮケーブル、酸素等の医療用ガス用のガス管等がある。被ガイド体６５は、医療機器６４と、寝台１１や、寝台１１上の人と、を接続することができる。また、例えば電源線などの被ガイド体６５は、医療機器６４から後方に向けて延ばし、部屋の壁面に設けられたコンセント（不図示）に差し込むこともできる。
【００５８】
ガイド部１４は、被ガイド体６５を下方から支持する。ガイド部１４は、支柱部３０よりも後側に配置されていて、機器載置部１３及びガイド部１４は、前後方向に位置をずらして配置されている。
ガイド部１４は、寝台１１に着脱自在に吊り下げられている。ガイド部１４は、１本の線材を複数回屈曲することで形成される。ガイド部１４は、左右方向に対称に形成されている。
【００５９】
機器載置部１３及びガイド部１４は、寝台１１の昇降に追従する。機器載置部１３及びガイド部１４は、寝台１１の上昇端位置から下降端位置に至るまで寝台１１に追従するときに、支持架台１２に非接触である。
なお図１１に示すように、揺動支持機構３２が寝台１１を揺動支持した状態で、寝台１１及び揺動支持機構３２と載置面５７との間に配置空間Ｓ７が設けられていて、寝台１１と載置面５７とが配置空間７３の高さ分、離間している。医療機器６４は、配置空間Ｓ７内に収まるよう載置面５７上に配置されている。
【００６０】
以上説明したように、本実施形態に係る寝台装置１０によれば、取付け部３６と下端部８２とは、切り欠き部８３が凸部７３を避けた状態で嵌合することが可能となり、点滴棒３８を取り付ける際の周方向の位置が規制され、点滴棒３８を支持架台１２に対して最適な位置でのみ取付けることができる。そのため、適切な位置に取り付けて寝台装置１０の重心のバランスを安定させることができる。
【００６１】
また、前述のように点滴棒３８を支持架台１２に対して最適な位置でのみ取付けることができる。したがって、本実施形態のように、支持架台１２に支持される点滴棒３８が屈曲して軸心が偏心したものである場合でも、支持架台１２に対する屈曲部８５の向きが、寝台装置１０の重心のバランスを安定させることができる所定の向きとなる状態でのみ、点滴棒３８が支持されるような構成を実現することができる。
【００６２】
また、開口部７２に形成された凸部７３と、点滴棒３８の下端部８２に形成された切り欠き部８３１とが対向する位置に配置されたときに取り付け部３６の開口部７２と下端部８２とが嵌合する。これにより、支持架台に対して点滴棒３８を取り付ける向きが規制され、所定の位置でのみ取付けることができる。
【００６３】
また、係止部８１が前後方向に沿って外側に偏心した状態で点滴棒３８が支持架台１２に支持されるように、点滴棒３８を取り付ける向きが規制されるので、寝台装置１０の重心のバランスを安定させることができる。
【００６４】
また、点滴棒３８が寝台１１の下方で屈曲されているので、寝台１１の昇降動作と点滴棒３８との干渉を防ぐことができ、且つ、そのような点滴棒３８が設けられても寝台装置１０の重心のバランスを安定させることができる。
【００６５】
［第２実施形態］
第２実施形態に係る寝台装置１０Ａを図１２を用いて説明する。第２実施形態に係る寝台装置１０Ａは、取付け部３６Ａ（第２嵌合部）に点滴棒３８の接続部８３Ａ（第１嵌合部）が外嵌めされる点で第１実施形態と相違する。以降の説明において、すでに説明したものと共通する構成等については、同一の符号を付して重複する説明を省略する。
【００６６】
寝台装置１０Ａは、点滴棒３８の下端部８２の接続部８３Ａが略円筒形状に形成され、下端面から上方に向かって凹む穴部８３５が形成されている。穴部８３５の下端縁部８３６には、点滴棒３８の下端部８２の軸心Ｏ２方向に向かって突出する凸部８３７が形成されている。凸部８３７の鉛直方向の上方には接続部８３Ａの肉圧方向に貫通する孔８３４が形成されている。
【００６７】
取付け部３６Ａは、下端部８２の軸心Ｏ２と直交する方向における断面の外周形状が略Ｄ字形状となるように、円弧部３６２と平面状の切り欠き部３６３とが形成されている。取付け部３６Ａは穴部８３５内に挿入されるように外嵌めされる。このとき、切り欠き部３６３が凸部８３７に面する状態でのみ、接続部８３Ａは取付け部３６Ａに外嵌めされる。
【００６８】
本実施形態に係る寝台装置１０Ａにおいても第１実施形態に係る寝台装置１０と同様の効果を奏する。
すなわち、点滴棒３８の下端部８２が支持架台１２の開口部７２に外嵌めされる構成であっても、凸部８３７と切り欠き部３６３とが対向する位置に配置されたときに嵌合可能である。これにより、支持架台１２に対して点滴棒３８を取り付ける向きが規制され、所定の位置でのみ取付けることができる。
【００６９】
なお、本発明の技術的範囲は前記実施形態に限定されるものではなく、本発明の趣旨を逸脱しない範囲において種々の変更を加えることが可能である。
【００７０】
上記実施形態では、開口部７２に凸部が形成される構成としたが、凸部を形成した円筒部材を別途用意して、円形の開口部７２内に円筒部材を配置する構成でもよい。
【００７１】
上記実施形態では、第２嵌合部として、円柱状の部材に平面状の切り欠き部を設ける構成としたが、第２嵌合部の形状は円柱状に限られず、切り欠き部も平面状のものに限定されない。同様に、第１嵌合部の形状も円筒形状に限られず、凸部の形状も上記実施形態の態様に限定されない。例えば、第２嵌合部の軸心に直交する断面の形状が四角形や多角形状を有する構成でもよく、切り欠き部は凸部の突出量や形状に応じて、形成される構成であればよい。また、上記実施形態では、外嵌めされる第１嵌合部に凸部が設けられ、内嵌めされる第２嵌合部に切り欠きが設けられる構成としたが、これに限定されない。
例えば、図１３に示す変形例の様に、下端部（第２嵌合部）８２の外周面の周方向の１カ所に外周面から外方に突出する凸部８２１が形成され、取付け部（第１嵌合部）３６の開口部７２Ａの周方向の１カ所において取付け部３６を貫通する切り欠きを設けることにより、凸部８２１を避けた切り欠き部７２２が形成される構成でもよい。
【００７２】
ガイド部１４、揺動支持機構３２、架設部材４６がなくてもよい。なお架設部材４６は、左右一対の後脚部４５ｂ同士の間に設けられてもよい。
各脚部４５の先端部が、前後方向の外側に向けて凸となるように湾曲していなくてもよく、例えば、鋭角をなすように屈曲していてもよい。
４つの脚部４５が、２つの脚フレーム材２８により形成されていなくてもよい。例えば、４つの脚部４５を、それぞれ１つずつ４つの別々の部材によって形成することも可能である。この場合、支柱部３０に４つの脚部４５を各別に固定することができる。
脚部４５の基端部が、直線状に延びていなくてもよい。例えば、基端部が、左右方向に凸となるように湾曲していてもよい。
【００７３】
上記実施形態では、点滴棒３８を支持架台１２に対して上から挿入する構成としたが、点滴棒３８と支持架台１２とが嵌合する方向は上下方向に限定されない。例えば、点滴棒３８を支持架台１２に対して横方向から挿入する構成等、点滴棒３８と支持架台１２とが横方向（略水平方向）に嵌合する構成であってもよい。
【００７４】
上記実施形態では、支持架台１２にキャスター２９を備えて走行可能としたが、この構成のみに限らず、キャスター２９を備えずに床面に据え付ける構成にも本発明は採用可能である。
上記実施形態では、機器載置部１３やガイド部１４を備える構成としたが、機器載置部１３やガイド部１４を備えなくてもよい。  本発明は、新生児用ベッドに限られず、小児用ベッドなど、他の寝台装置１０にも適用することが可能である。
【００７５】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００７６】
１０  寝台装置
１１  寝台
１２  支持架台
３６  取付け部（棒支持部、第１嵌合部）
３８  点滴棒（医療用具取付棒）
４５  脚部
７２  開口部（棒支持部）
７３、８２１、８３７  凸部
８１  係止部
８２  下端部（第２嵌合部）
８５  屈曲部
３６３、７２２、８３１  切り欠き部
８３５  穴部
【図１】
2020168403.tif 000003
【図２】
2020168403.tif 000004
【図３】
2020168403.tif 000005
【図４】
2020168403.tif 000006
【図５】
2020168403.tif 000007
【図６】
2020168403.tif 000008
【図７】
2020168403.tif 000009
【図８】
2020168403.tif 000010
【図９】
2020168403.tif 000011
【図１０】
2020168403.tif 000012
【図１１】
2020168403.tif 000013
【図１２】
2020168403.tif 000014
【図１３】
2020168403.tif 000015